(57)【要約】【課題】ロアケースから導出するワイヤーハーネスをアッパーケースで覆う場合であっても、アッパーケースを容易に脱着することができる電気接続箱、及び電気接続箱の組付け方法を提供することを目的とする。【解決手段】長手方向Ｘの一端を回動中心として、アッパーケース３０をロアケース２０と嵌合する方向に回動する際、アッパーケース３０のハーネスカバー３３を、ロアケース２０から導出するワイヤーハーネス５０の一部に包囲するとともに、ハーネスカバー３３における嵌合部３５の第１嵌合部３５ａを、ロアケース２０における被嵌合部２３の第１被嵌合部２３ａに嵌合する。続いて、嵌合部３５の第２嵌合部３５ｂを、被嵌合部２３の第２被嵌合部２３ｂに嵌合する。これにより、ロアケース２０から導出したワイヤーハーネス５０を、ロアケース２０の外壁面に沿って配索された状態に保持する。【選択図】図４
2014140264.tif 000002
【特許請求の範囲】
【請求項１】
所定の電気機器、及びワイヤーハーネスの装着を許容するロアケースと、
前記ロアケースに係着するアッパーケースとを備え、
平面視における長手方向の一端に前記ロアケースと前記アッパーケースとを回動自在にするヒンジ部と、他端に前記ロアケースと前記アッパーケースとを係止するロック部とを有する電気接続箱であって、
前記平面視において、前記長手方向に対して略直交する方向を短手方向とし、
前記アッパーケースにおける前記短手方向の一方の面に、
前記ロアケースから導出する前記ワイヤーハーネスの一部を包囲するハーネスカバーを備え、
該ハーネスカバーを、
前記ロアケースに向けて延設するとともに、前記ロアケースから導出する前記ワイヤーハーネスを覆う本体部と、
該本体部における前記長手方向の両端から前記長手方向に延びる略平板状に形成した嵌合部とで構成し、
前記ロアケースに、
前記ヒンジ部を回動中心として前記アッパーケースが回動すると、前記ハーネスカバーの前記嵌合部が嵌合する被嵌合部を備え、
前記ハーネスカバーの前記嵌合部を、
前記長手方向における前記ヒンジ部側に形成した第１嵌合部と、
前記長手方向における前記ロック部側に形成した第２嵌合部とで構成し、
前記ロアケースの前記被嵌合部を、
前記ハーネスカバーの前記第１嵌合部、及び前記第２嵌合部がそれぞれ嵌合する構成とし、
前記ロアケースの前記被嵌合部に、
前記ハーネスカバーの前記第１嵌合部、及び前記第２嵌合部の嵌合を所定の順番で案内する嵌合案内手段を備えた
電気接続箱。
【請求項２】
前記被嵌合部を、
前記第１嵌合部が嵌合する第１被嵌合部と、前記第２嵌合部が嵌合する第２被嵌合部とで構成し、
前記嵌合案内手段を、
前記短手方向から前記電気接続箱を目視した短手方向視における前記ハーネスカバーの延設方向において、前記第１嵌合部における前記アッパーケース側の縁端位置と、前記第２嵌合部における前記アッパーケース側の縁端位置とが異なる構成とした
請求項１に記載の電気接続箱。
【請求項３】
前記嵌合案内手段を、
前記長手方向から前記電気接続箱を目視した長手方向視において、前記被嵌合部の前記アッパーケース側縁端を前記ロアケースから離間する方向に傾斜、または湾曲する形状に形成した
請求項１または２に記載の電気接続箱。
【請求項４】
前記嵌合案内手段を、
前記短手方向から前記電気接続箱を目視した短手方向視において、前記被嵌合部の前記ヒンジ部側縁端が下側縁端から上側縁端に向けて前記ロック部側に傾斜、または湾曲する形状に形成した
請求項１〜３のいずれか１つに記載の電気接続箱。
【請求項５】
前記嵌合案内手段を、
前記短手方向視において、前記被嵌合部の前記アッパーケース側縁端を略角丸形状に形成した
請求項１〜４のいずれか１つに記載の電気接続箱。
【請求項６】
前記嵌合案内手段を、
前記ハーネスカバーの前記第２嵌合部の嵌合を案内したのち、前記第１嵌合部の嵌合を案内する構成とした
請求項１〜５のいずれか１つに記載の電気接続箱。
【請求項７】
前記アッパーケースにおける前記ハーネスカバーを、
前記長手方向における前記ロック部側に配置し、
前記ロアケースの前記被嵌合部を、
前記ハーネスカバーの前記嵌合部に対応する長手方向位置に配置した
請求項１〜６のいずれか１つに記載の電気接続箱。
【請求項８】
所定の電気機器、及びワイヤーハーネスの装着を許容するロアケースと、前記ロアケースに係着するアッパーケースとを備え、平面視における長手方向の一端に前記ロアケースと前記アッパーケースとを回動自在にするヒンジ部と、他端に前記ロアケースと前記アッパーケースとを係止するロック部とを有する電気接続箱の組付け方法であって、
前記平面視において、前記長手方向に対して略直交する方向を短手方向とし、
前記ヒンジ部を回動中心として前記アッパーケースが回動すると、前記アッパーケースにおける前記短手方向の一方の面に備えたハーネスカバーの前記ロアケースに向けて延設した本体部が前記ロアケースから導出する前記ワイヤーハーネスの一部を包囲するとともに、前記本体部における前記長手方向の両端から前記長手方向に延びる略平板状に形成した嵌合部が前記ロアケースの被嵌合部に嵌合する際、
前記ロアケースにおける前記被嵌合部の嵌合案内手段で、
前記ハーネスカバーの前記嵌合部における前記長手方向の前記ヒンジ部側に形成した前記第１嵌合部、及び前記長手方向の前記ロック部側に形成した前記第２嵌合部の嵌合を所定の順番で案内する
電気接続箱の組付け方法。
【発明の詳細な説明】
【技術分野】
【０００１】
この発明は、例えば自動車等といった車両に搭載され、リレーやヒューズ等の電気部品を収容するリレーボックスやヒューズボックスのような電気接続箱、及び電気接続箱の組付け方法に関する。
【背景技術】
【０００２】
自動車等の車両に搭載され、リレーやヒューズ等の電気部品を収容するリレーボックスやヒューズボックスのような電気接続箱がある。  
このような電気接続箱は、エンジン、バッテリー、あるいは電装機器との間において、ワイヤーハーネスを介して介在され、電気回路を保護している。このため、電気接続箱は、リレーやヒューズに不具合が生じた場合、これを容易に交換できるよう開閉可能に構成している。
【０００３】
例えば、特許文献１に記載の電気接続箱は、後端に係止枠部を備えるとともに、前端に係止アームを備えたアッパーカバーとよばれるアッパーケース、後端に係止枠部と係合する係合突起と、前端に係止アームと係合する係止凹部を備えたメインカバーとよばれるロアケースで構成している。
【０００４】
そして、ロアケースの係止突起に、アッパーケースの係止枠部を係合したのち、係止突起に係合している係止枠部を回動中心としてアッパーケースを回動して、ロアケースの係止凹部にアッパーケースの係止アームを係合して組付けている。一方、アッパーケースを取り外す際には、係止アームと係止凹部との係合を解除して、装着とは逆方向に回動することで、片手でアッパーケースが脱着可能な電気接続箱を構成している。
【０００５】
ところで、このような電気接続箱において、エンジンなどと電気的に接続されるワイヤーハーネスを、車両の設計要件によってロアケースの上方開口から外壁面に沿って導出することがある。この際、ロアケースから導出するワイヤーハーネスの導出を案内するようにアッパーケースで覆う必要がある。このため、ロアケースにアッパーケースを回動して組付ける際、ワイヤーハーネスの反力によって、アッパーケースのスムーズな回動が阻害され、片手で容易に開閉することができないという問題があった。
【先行技術文献】
【特許文献】
【０００６】
【特許文献１】特開２００５−２０４３５６号公報
【発明の概要】
【発明が解決しようとする課題】
【０００７】
本発明は、上述の問題に鑑み、ロアケースから導出するワイヤーハーネスをアッパーケースで覆う場合であっても、アッパーケースを容易に脱着することができる電気接続箱、及び電気接続箱の組付け方法を提供することを目的とする。
【課題を解決するための手段】
【０００８】
この発明は、所定の電気機器、及びワイヤーハーネスの装着を許容するロアケースと、前記ロアケースに係着するアッパーケースとを備え、平面視における長手方向の一端に前記ロアケースと前記アッパーケースとを回動自在にするヒンジ部と、他端に前記ロアケースと前記アッパーケースとを係止するロック部とを有する電気接続箱であって、前記平面視において、前記長手方向に対して略直交する方向を短手方向とし、前記アッパーケースにおける前記短手方向の一方の面に、前記ロアケースから導出する前記ワイヤーハーネスの一部を包囲するハーネスカバーを備え、該ハーネスカバーを、前記ロアケースに向けて延設するとともに、前記ロアケースから導出する前記ワイヤーハーネスを覆う本体部と、該本体部における前記長手方向の両端から前記長手方向に延びる略平板状に形成した嵌合部とで構成し、前記ロアケースに、前記ヒンジ部を回動中心として前記アッパーケースが回動すると、前記ハーネスカバーの前記嵌合部が嵌合する被嵌合部を備え、前記ハーネスカバーの前記嵌合部を、前記長手方向における前記ヒンジ部側に形成した第１嵌合部と、前記長手方向における前記ロック部側に形成した第２嵌合部とで構成し、前記ロアケースの前記被嵌合部を、前記ハーネスカバーの前記第１嵌合部、及び前記第２嵌合部がそれぞれ嵌合する構成とし、前記ロアケースの前記被嵌合部に、前記ハーネスカバーの前記第１嵌合部、及び前記第２嵌合部の嵌合を所定の順番で案内する嵌合案内手段を備えたことを特徴とする。
【０００９】
上記所定の電気部品は、リレー、あるいはヒューズなど脱着可能な部品とすることができる。  
上記ヒンジ部は、回転自在に軸支した構成、あるいは回動支点となる突設した係止爪部、及びこれに係止する係止部などとすることができる。あるいは、枢着する別部材を取り付けて構成してもよい。
【００１０】
上記所定の順番は、第１嵌合部、第２嵌合部の順、あるいは第２嵌合部、第１嵌合部の順とすることであり、つまり、第１嵌合部と第２嵌合部とが同時に嵌合しないことを意味している。
【００１１】
この発明により、ロアケースから導出するワイヤーハーネスをアッパーケースで覆う場合であっても、アッパーケースの脱着を容易にすることができる。  
具体的には、電気接続箱、及び電気接続箱の組付け方法は、ヒンジ部を回動中心にしてアッパーケースをロアケースに向けて回動させて、ロアケースから導出されるワイヤーハーネスをハーネスカバーに収容することで、ワイヤーハーネスをロアケースの外壁面に沿うように導出することができる。
【００１２】
この際、ワイヤーハーネスの反力がハーネスカバーに加わるため、ハーネスカバーの嵌合部とロアケースの被嵌合部との位置ズレが生じることがある。  
このため、ロアケースとアッパーケースとのスムーズな嵌合が困難になり、作業者がハーネスカバーを片手でガイドして、もう一方の手でロアケースにアッパーケースを組付けることが必要となる。
【００１３】
これに対し、電気接続箱、及び電気接続箱の組付け方法は、ロアケースの嵌合案内手段により、ハーネスカバーの嵌合部の嵌合を案内するため、アッパーケースをスムーズに回動することができる。
【００１４】
さらに、ハーネスカバーの第１嵌合部、及び第２嵌合部の嵌合を嵌合案内手段が所定の順番で案内するため、電気接続箱、及び電気接続箱の組付け方法は、アッパーケースの回動に応じて、ハーネスカバーをロアケースに対してスムーズに嵌合することができる。
【００１５】
より詳しくは、ハーネスカバーの第１嵌合部、及び第２嵌合部の嵌合を嵌合案内手段が所定の順番で案内することで、電気接続箱、及び電気接続箱の組付け方法は、第１嵌合部、及び第２嵌合部のうち一方が被嵌合部に嵌合したのち、他方を被嵌合部に嵌合することができる。
【００１６】
さらに、例えば、ワイヤーハーネスの反力によってハーネスカバーなどにたわみが生じても、ハーネスカバーの第１嵌合部、及び第２嵌合部を所定の順番でロアケースの被嵌合部に嵌合することで、ハーネスカバーなどのたわみを段階的に抑制することができる。これにより、電気接続箱、及び電気接続箱の組付け方法は、ワイヤーハーネスの反力が加わっても、ロアケースとアッパーケースとの係止をより容易することができる。
【００１７】
このため、電気接続箱、及び電気接続箱の組付け方法は、アッパーケースの回動に応じて、ロアケースの被嵌合部にハーネスカバーの嵌合部を嵌合することができ、ワイヤーハーネスの反力に抗いながらアッパーケースを回動することを容易にすることができる。
【００１８】
一方、ロアケースからアッパーケースを取り外す場合、電気接続箱、及び電気接続箱の組付け方法は、ロック部の係止を解除するだけで、容易にロアケースからアッパーケースを取り外すことができる。
【００１９】
これにより、電気接続箱、及び電気接続箱の組付け方法は、ロアケースの外壁面に沿ってワイヤーハーネスを導出する場合であっても、作業者がハーネスカバーを片手で保持することなく、アッパーケースを脱着することができる。さらに、嵌合案内手段によって、電気接続箱、及び電気接続箱の組付け方法は、ヒンジ部を回動中心として、アッパーケースをスムーズに回動することができる。
【００２０】
従って、電気接続箱、及び電気接続箱の組付け方法は、ロアケースから導出するワイヤーハーネスをアッパーケースで覆う場合であっても、アッパーケースの脱着を容易にすることができる。
【００２１】
この発明の態様として、前記嵌合案内手段を、前記短手方向から前記電気接続箱を目視した短手方向視における前記ハーネスカバーの延設方向において、前記第１嵌合部における前記アッパーケース側の縁端位置と、前記第２嵌合部における前記アッパーケース側の縁端位置とが異なる構成とすることができる。
【００２２】
この発明により、ワイヤーハーネスの反力に抗ってアッパーケースをロアケースに容易に組付ける際、電気接続箱は、アッパーケースの第１嵌合部、及び第２嵌合部がそれぞれロアケースの被嵌合部に嵌合するタイミングを簡易な構造で異ならせることができる。  
すなわち、電気接続箱は、アッパーケースの回動に応じて、第１嵌合部、及び第２嵌合部を所定の順番でロアケースの被嵌合部に嵌合することができる。
【００２３】
さらに、第１嵌合部、あるいは第２嵌合部のどちらか一方をロアケースの被嵌合部に嵌合することで、ハーネスカバーの撓みを抑制し、アッパーケースの嵌合していない他方の嵌合部の被嵌合部への嵌合をより容易にすることができる。  
従って、電気接続箱は、ハーネスカバーとロアケースとの嵌合をより容易にすることで、アッパーケースとロアケースとの組付けをより容易にすることができる。
【００２４】
また、この発明の態様として、前記嵌合案内手段を、前記長手方向から前記電気接続箱を目視した長手方向視において、前記被嵌合部の前記アッパーケース側縁端を前記ロアケースから離間する方向に向けて傾斜、または湾曲する形状に形成することができる。
【００２５】
この発明により、電気接続箱は、回動するアッパーケースにおけるハーネスカバーの嵌合部をロアケースの被嵌合部により確実に案内することができる。
【００２６】
具体的には、例えば、ワイヤーハーネスの反力によってハーネスカバーにたわみが生じても、電気接続箱は、回動してきたハーネスカバーの嵌合部を、短手方向外側に向けて傾斜している嵌合案内手段で受け止めることで、より確実に嵌合部を案内することができる。
【００２７】
これにより、電気接続箱は、ワイヤーハーネスの反力に抗って、ハーネスカバーの嵌合部をロアケースの被嵌合部により容易に嵌合することができる。  
従って、電気接続箱は、短手方向に傾斜した嵌合案内手段により、アッパーケースの組付けをより容易にすることができる。
【００２８】
また、この発明の態様として、前記嵌合案内手段を、前記短手方向から前記電気接続箱を目視した短手方向視において、前記被嵌合部の前記ヒンジ部側縁端が下側縁端から上側縁端に向けて前記ロック部側に傾斜、または湾曲する形状に形成することができる。
【００２９】
この発明により、回動するアッパーケースにおけるハーネスカバーが、ロアケースの被嵌合部と干渉することを防止して、ハーネスカバーの嵌合部をロアケースの被嵌合部によりスムーズに案内することができる。
【００３０】
また、この発明の態様として、前記嵌合案内手段を、前記短手方向視において、前記被嵌合部の前記アッパーケース側縁端を略角丸形状に形成することができる。  
この発明により、回動するアッパーケースにおけるハーネスカバーが、ロアケースの被嵌合部と干渉することを防止して、ハーネスカバーの嵌合部をよりスムーズに被嵌合部に案内することができる。
【００３１】
また、この発明の態様として、前記嵌合案内手段を、前記ハーネスカバーの前記第１嵌合部の嵌合を案内したのち、前記第２嵌合部の嵌合を案内する構成とすることができる。
【００３２】
この発明により、アッパーケースの回動に応じて効率よくハーネスカバーの嵌合部をロアケースの被嵌合部に案内することができる。  
具体的には、短手方向視において、回動中心となるヒンジ部からハーネスカバーの第２嵌合部までの長手方向距離に対して、ヒンジ部から第１嵌合部までの長手方向距離の方が長くなる。
【００３３】
つまり、第２嵌合部の回転軌跡における曲率に対して、第１嵌合部の回転軌跡における曲率が小さくなるため、電気接続箱は、アッパーケースの第２嵌合部に対して、アッパーケースの第１嵌合部をより直線的にロアケースの被嵌合部に嵌合することができる。
【００３４】
このため、第１嵌合部を嵌合したのち第２嵌合部を嵌合することで、電気接続箱は、ハーネスカバーの嵌合部がロアケースの被嵌合部に干渉することなく、アッパーケースをロアケースに組付けることができる。  
これにより、電気接続箱は、アッパーケースの回動に応じて効率よくハーネスカバーの嵌合部をロアケースの被嵌合部に案内することができる。
【００３５】
従って、電気接続箱は、アッパーケースの回動を阻害することなく、ハーネスカバーの嵌合部がロアケースの被嵌合部にスムーズに嵌合することができる。
【００３６】
また、この発明の態様として、前記アッパーケースにおける前記ハーネスカバーを、前記長手方向における前記ロック部側に配置し、前記ロアケースの前記被嵌合部を、前記ハーネスカバーの前記嵌合部に対応する長手方向位置に配置することができる。
【００３７】
この発明により、電気接続箱は、ヒンジ部から第２嵌合部までの長手方向距離をより大きくすることができる。つまり、第１嵌合部、及び第２嵌合部の回転軌跡における曲率をより小さくすることができる。
【００３８】
これにより、電気接続箱は、アッパーケースの回動に応じてより効率よくハーネスカバーの嵌合部をロアケースの被嵌合部に案内することができる。
【００３９】
従って、電気接続箱は、アッパーケースの回動をより阻害することなく、ハーネスカバーの嵌合部がロアケースの被嵌合部によりスムーズに嵌合することができる。
【発明の効果】
【００４０】
この発明により、ロアケースから導出するワイヤーハーネスをアッパーケースで覆う場合であっても、アッパーケースを容易に脱着することができる電気接続箱、及び電気接続箱の組付け方法を提供することができる。
【図面の簡単な説明】
【００４１】
【図１】電気接続箱の組付け状態を示す斜視図。
【図２】ロアケースとアッパーケースとの分離状態を示す斜視図。
【図３】被嵌合部と嵌合部との嵌合構造を示す斜視図。
【図４】アッパーケースの回動状態を示す側面図。
【図５】被嵌合部と嵌合部との一部を嵌合した状態を示す側面図。
【図６】被嵌合部と嵌合部との嵌合状態を示す側面図。
【図７】被嵌合部と嵌合部とを嵌合する嵌合部分の短手方向断面図。
【図８】第１被嵌合部と第１嵌合部との嵌合状態を示すＡ−Ａ線矢視断面図。
【図９】第２被嵌合部と第２嵌合部との嵌合状態を示すＢ−Ｂ線矢視断面図。
【発明を実施するための形態】
【００４２】
この発明の一実施形態を以下図面に基づいて詳述する。  
図１は電気接続箱１０の組付け状態を示す斜視図、図２はロアケース２０とアッパーケース３０との分離状態を示す斜視図、図３は被嵌合部２３と嵌合部３５との嵌合構造を示す斜視図、図４はアッパーケース３０の回動状態を示す側面図、図５は被嵌合部２３と嵌合部３５との一部を嵌合した状態を示す側面図、図６は被嵌合部２３と嵌合部３５との嵌合状態を示す側面図、図７は被嵌合部２３と嵌合部３５とを嵌合する嵌合部分の短手方向断面図、図８は第１被嵌合部２３ａと第１嵌合部３５ａとの嵌合状態を示すＡ−Ａ線矢視断面図、図９は第２被嵌合部２３ｂと第２嵌合部３５ｂとの嵌合状態を示すＢ−Ｂ線矢視断面図である。
【００４３】
本実施形態の電気接続箱１０は、所定の電気機器、及び図中仮想線で示すワイヤーハーネス５０の装着を許容するロアケース２０と、ロアケース２０に係着するアッパーケース３０と、ロアケース２０に収容される接続箱本体４０とを備えている。ロアケース２０は、上面が開放された箱体であり、アッパーケース３０は、下面が開放された箱体である（図１、図２参照）。
【００４４】
ロアケース２０は、平面視における長手方向Ｘの一端に係止爪部２１を形成し、他端に係止凹部２２を形成している。  
ロアケース２０における短手方向Ｙの一方の面には、長手方向Ｘの一端を回動中心として、前記アッパーケース３０をロアケース２０と嵌合する方向に回動する際（図４参照）、アッパーケース３０におけるハーネスカバー３３の嵌合部３５を嵌合する被嵌合部２３を形成している。
【００４５】
被嵌合部２３は、ハーネスカバー３３の嵌合部３５と対応して長手方向Ｘにおける係止凹部２２側に形成するとともに、長手方向Ｘにおける係止爪部２１側に形成した第２被嵌合部２３ｂと、該長手方向Ｘにおける係止凹部２２側に形成した第１被嵌合部２３ａとで構成している（図３参照）。
【００４６】
第１被嵌合部２３ａ及び第２被嵌合部２３ｂは、短手方向Ｙから電気接続箱１０を目視した短手方向視において、第１被嵌合部２３ａにおけるアッパーケース３０側の縁端位置と、第２被嵌合部２３ｂにおけるアッパーケース３０側の縁端位置とが異なる高さ位置に設定している。さらに、第１被嵌合部２３ａ及び第２被嵌合部２３ｂは、ロアケース２０における短手方向Ｙの一方の面に沿って垂直方向に平行して形成している。
【００４７】
具体的には、嵌合部３５の第１嵌合部３５ａが嵌合する被嵌合部２３の第１被嵌合部２３ａを、第２嵌合部３５ｂが嵌合する第２被嵌合部２３ｂよりも高い位置に形成している。  
すなわち、第２被嵌合部２３ｂを、第１被嵌合部２３ａの上端側に設定した第１嵌合部３５ａの嵌合を案内する案内領域Ｇより低い位置に配置している。
【００４８】
さらに、第１被嵌合部２３ａ及び第２被嵌合部２３ｂは、ハーネスカバー３３における第１嵌合部３５ａの嵌合を案内したのち、第２嵌合部３５ｂの嵌合が案内される間隔を隔てて長手方向Ｘに配置している。
【００４９】
具体的には、短手方向視において、係止爪部２１からハーネスカバー３３の第２嵌合部３５ｂに至るまでの長手方向距離に対して、係止爪部２１から第１嵌合部３５ａに至るまでの長手方向距離の方が長くなるように配置している（図４参照）。
【００５０】
第１被嵌合部２３ａのアッパーケース３０側縁端には、ハーネスカバー３３の第１嵌合部３５ａの嵌合を案内する案内部２４を形成している。  
案内部２４は、長手方向Ｘから電気接続箱１０を目視する長手方向視において、該案内部２４の下端側から上端側に向けてロアケース２０の外壁面から離間する方向に傾斜する形状に形成している。
【００５１】
さらに、第１被嵌合部２３ａは、短手方向Ｙから電気接続箱１０を目視する短手方向視において、第１被嵌合部２３ａの係止爪部２１側縁端が下側縁端から上側縁端に向けて係止凹部２２側に傾斜する形状に形成している。
【００５２】
さらにまた、第１被嵌合部２３ａ及び第２被嵌合部２３ｂは、短手方向Ｙから電気接続箱１０を目視する短手方向視において、第１被嵌合部２３ａ及び第２被嵌合部２３ｂのアッパーケース３０側縁端を滑らかな略角丸形状に形成している。
【００５３】
アッパーケース３０は、長手方向Ｘの一端に前記係止爪部２１と係合する係止枠部３１を形成し、他端に前記係止凹部２２と係合する係止アーム３２を形成している。  
アッパーケース３０における短手方向Ｙの一方の面には、ロアケース２０から外部に導出されたワイヤーハーネス５０の一部を包囲するハーネスカバー３３を、ロアケース２０の被嵌合部２３と対応して長手方向Ｘにおける係止アーム３２側に形成している。
【００５４】
ハーネスカバー３３は、アッパーケース３０の一方の面からロアケース２０に向けて延設するとともに、ロアケース２０から導出するワイヤーハーネス５０を覆う本体部３４と、該本体部３４における長手方向Ｘの両端から該長手方向Ｘに延びる略平板状に形成した嵌合部３５とで構成している。
【００５５】
嵌合部３５は、長手方向Ｘにおける係止枠部３１側に形成した第２嵌合部３５ｂと、該長手方向Ｘにおける係止アーム３２側に形成した第１嵌合部３５ａとで構成している（図３参照）。  
さらに、第１嵌合部３５ａ及び第２嵌合部３５ｂは、ロアケース２０の上面側開口部に向けて平行して形成している。
【００５６】
被嵌合部２３の第１被嵌合部２３ａ及び第２被嵌合部２３ｂは、嵌合部３５の第１嵌合部３５ａと第２嵌合部３５ｂとを、該第１嵌合部３５ａと第２嵌合部３５ｂとの順番にて嵌合を案内するための誘い込み構造を構成している。
【００５７】
続いて、上述した電気接続箱１０のロアケース２０とアッパーケース３０との組付け方法について、図４〜図９を用いて説明する。  
先ず、ロアケース２０の係止爪部２１，２１に、アッパーケース３０の係止枠部３１，３１を係止し、係止爪部２１と係止枠部３１との係止部分を回動中心として、アッパーケース３０を、ロアケース２０に対して嵌合する方向（矢印方向）に向けて回動する（図４参照）。
【００５８】
アッパーケース３０の回動途中において、アッパーケース３０のハーネスカバー３３を、ロアケース２０から外部に導出されたワイヤーハーネス５０に覆い被せながら、ワイヤーハーネス５０をロアケース２０の外壁面に沿って下方に押し下げる（図７参照）。
【００５９】
アッパーケース３０をロアケース２０に嵌合する直前において、ハーネスカバー３３における嵌合部３５の第１嵌合部３５ａが、ロアケース２０における被嵌合部２３の第２被嵌合部２３ｂよりも高い位置の第１被嵌合部２３ａに対して先に嵌合する。続いて、嵌合部３５の第２嵌合部３５ｂが、被嵌合部２３の第２被嵌合部２３ｂに対して嵌合する（図５参照）。
【００６０】
ハーネスカバー３３の第１嵌合部３５ａを、ロアケース２０の第１被嵌合部２３ａに嵌合する際、ハーネスカバー３３の第１嵌合部３５ａを、第１被嵌合部２３ａの案内部２４にて受け止めるとともに、該案内部２４の斜面に沿ってロアケース２０の外壁面に向けて幅寄せされる方向に案内する。  
これにより、嵌合部３５の第２嵌合部３５ｂが、被嵌合部２３の第２被嵌合部２３ｂに対して嵌合が許容される位置に矯正される。
【００６１】
上述のように、第２嵌合部３５ｂを、第２被嵌合部２３ｂに対して嵌合が許容される位置に矯正しながら、アッパーケース３０を、ロアケース２０に対して嵌合する方向に回動させて、ハーネスカバー３３の第１嵌合部３５ａを、第１被嵌合部２３ａの案内領域Ｇよりも下方に移動させれば、嵌合部３５の第２嵌合部３５ｂを、被嵌合部２３の第２被嵌合部２３ｂに対して確実に嵌合することができる。
【００６２】
アッパーケース３０をロアケース２０の上面側開口部に嵌合した際、ロアケース２０の係止凹部２２に、アッパーケース３０の係止アーム３２が係止されるので、ロアケース２０とアッパーケース３０とを一体的に嵌合した状態にロック固定することができる（図１、図６参照）。  
この結果、ロアケース２０から導出したワイヤーハーネス５０を、ロアケース２０の外壁面に沿って配索された状態に保持することができる（図８、図９参照）。
【００６３】
一方、ロアケース２０からアッパーケース３０を取り外す場合、係止凹部２２と係止アーム３２との係合を片手で解除操作するだけで、ロアケース２０からアッパーケース３０を簡単に取り外すことができる。
【００６４】
上述のように、嵌合部３５の第１嵌合部３５ａ及び第２嵌合部３５ｂと、被嵌合部２３の第１被嵌合部２３ａ及び第２被嵌合部２３ｂとを嵌合するタイミングを簡易な構造に異ならせて、第１嵌合部３５ａと第２嵌合部３５ｂとの順番に嵌合するので、ハーネスカバー３３の撓みを抑制しつつ、アッパーケース３０の第１嵌合部３５ａに続いて嵌合される第２嵌合部３５ｂを、第１被嵌合部２３ａよりも低い位置の第２被嵌合部２３ｂに対する嵌合をより容易にすることができる。
【００６５】
さらに、係止爪部２１から第２嵌合部３５ｂに至るまでの長手方向距離よりも、係止爪部２１から第１嵌合部３５ａに至るまでの長手方向距離の方が長いので、第２嵌合部３５ｂの回転軌跡における曲率よりも、第１嵌合部３５ａの回転軌跡における曲率が小さくなる。
【００６６】
このため、アッパーケース３０を、ロアケース２０と嵌合する方向に回動する際、アッパーケース３０の第２嵌合部３５ｂに対して、アッパーケース３０の第１嵌合部３５ａをより直線的にロアケース２０における被嵌合部２３の第１被嵌合部２３ａに嵌合することができる。  
これにより、アッパーケース３０の回動に応じて、より効率よくハーネスカバー３３の嵌合部３５をロアケース２０の被嵌合部２３に対して案内することができる。
【００６７】
さらにまた、アッパーケース３０をロアケース２０に嵌合する際、ハーネスカバー３３の第１嵌合部３５ａと第２嵌合部３５ｂとの嵌合を、ロアケース２０の第１被嵌合部２３ａと第２被嵌合部２３ｂとの順番にて案内するため、ハーネスカバー３３の撓みを段階的に抑制することができる。
【００６８】
これにより、ハーネスカバー３３に、ワイヤーハーネス５０の反力による撓みが生じても、ハーネスカバー３３の撓みを作業者の一方の手で矯正しながら、他方の手でアッパーケース３０を回動する必要がなく、ワイヤーハーネス５０をロアケース２０の外壁面に沿って導出する場合、あるいは、導出したワイヤーハーネス５０をハーネスカバー３３で覆う場合であっても、ハーネスカバー３３を作業者の片手で保持することなく、アッパーケース３０を片手で容易に脱着することができる。
【００６９】
このため、電気接続箱１０、及び電気接続箱１０の組付け方法は、アッパーケース３０の回動操作に応じて、ロアケース２０の被嵌合部２３に対してハーネスカバー３３の嵌合部３５を確実に嵌合することができ、ワイヤーハーネス５０の反力に抗いながら、アッパーケース３０を片手でも容易に回動操作することができる。
【００７０】
この発明の構成と、上述の実施形態との対応において、
この発明の嵌合案内手段は、実施形態の第１被嵌合部２３ａと、第２被嵌合部２３ｂと、案内部２４とに対応し
以下同様に、
ヒンジ部は、係止爪部２１と係止枠部３１に対応し、
ロック部は、係止凹部２２と係止アーム３２とに対応するが、
この発明は、上述の実施形態の構成のみに限定されるものではなく、請求項に示される技術思想に基づいて応用することができ、多くの実施の形態を得ることができる。  
例えば、被嵌合部２３における第２被嵌合部２３ｂのアッパーケース３０側縁端を、第１被嵌合部２３ａのアッパーケース３０側縁端より高くしてもよい。これにより、嵌合部３５の第２嵌合部３５ｂを、第１被嵌合部２３ａよりも先に第２被嵌合部２３ｂに嵌合することができる。
【００７１】
また、嵌合部３５における第２嵌合部３５ｂのロアケース２０側縁端を、上述の第１被嵌合部２３ａと同様に、第１嵌合部３５ａのロアケース２０側縁端より高くしてもよい。これにより、第２嵌合部３５ｂよりも低い位置の第１嵌合部３５ａを、第２被嵌合部２３ｂよりも先に第１被嵌合部２３ａに嵌合することができる。  
さらにまた、被嵌合部２３の第１被嵌合部２３ａと第２被嵌合部２３ｂとを、滑らかな湾曲する形状に形成してもよい。
【符号の説明】
【００７２】
Ｇ…案内領域
１０…電気接続箱
２０…ロアケース
２１…係止爪部
２２…係止凹部
２３…被嵌合部
２３ａ…第１被嵌合部
２３ｂ…第２被嵌合部
２４…案内部
３０…アッパーケース
３１…係止枠部
３２…係止アーム
３３…ハーネスカバー
３４…本体部
３５…嵌合部
３５ａ…第１嵌合部
３５ｂ…第２嵌合部
４０…接続箱本体
５０…ワイヤーハーネス
【図１】
2014140264.tif 000003
【図２】
2014140264.tif 000004
【図３】
2014140264.tif 000005
【図４】
2014140264.tif 000006
【図５】
2014140264.tif 000007
【図６】
2014140264.tif 000008
【図７】
2014140264.tif 000009
【図８】
2014140264.tif 000010
【図９】
2014140264.tif 000011